(57)【要約】【課題】  壁に取り付けることができて、載置された生花やしきび等、並びに額縁等に記載された内容が例えば参列者に見栄えよく見えるように向きを変えることができる供花台を提供すること。【解決手段】  生花７が載置される受け台１３、並びに額縁１２が装着される上部溝２０及び下部溝２１を有する装着部１４が設けられた保持部１１と、壁９に取り付け可能な引っ掛け部を有する取付部１０と、取付部１０が壁９に取り付けられた状態で、保持部１１がほぼ鉛直軸を中心にして矢印３７の方向に揺動可能に保持部１１と取付部１０とを連結する連結部２５とを備える。【選択図】      図１
2005218470.tif 000002
【特許請求の範囲】
【請求項１】
花を載置できる受け台、及び額縁やパネルが装着される装着部が設けられた保持部と、壁に取り付け可能な取付部と、前記保持部がほぼ鉛直軸を中心にして揺動可能に前記保持部と前記取付部とを連結する連結部とを備えることを特徴とする供花台。
【請求項２】
前記取付部は、所定の揺動範囲内に位置する前記保持部を支持するための支持部を有することを特徴とする請求項１記載の供花台。
【請求項３】
前記装着部は、前記額縁や前記パネルの上縁部及び下縁部が嵌め込まれる上部溝及び下部溝を有することを特徴とする請求項１又は２記載の供花台。
【請求項４】
前記取付部は、前記壁と向かい合って配置される取付板と、当該取付板から前記壁側に向かって延びて更に下方に屈曲して延びる引っ掛け部とを有することを特徴とする請求項１乃至３のいずれかに記載の供花台。
【発明の詳細な説明】
【技術分野】
【０００１】
本発明は、葬儀、告別式等の際に供える生花、造花、しきび、榊等を載置するための供花台に関する。
【背景技術】
【０００２】
葬儀や告別式等では、生花やしきび等を例えばスタンドに載せて、これを会場内や玄関口の床や地面に立てて飾ることが行われている。
【０００３】
しかし、最近の葬儀等が行われる会場によっては、スタンドに載せた生花やしきびを会場内や玄関口の床や地面に立てて飾ることが禁止されている場合がある。このような場合は、会場内に設置される祭壇に飾られる生花の数を増やす等して装飾に工夫がなされるが、祭壇に飾ることができる生花の数には或る一定の限界がある。従って、生花やしきび等を使用して、葬儀等が行われる会場を更に見栄えよくするための工夫が求められている。
【０００４】
なお、従来の供花台１として、図６に示すように、板状の受け台２の上面にカップ状の花器３が取り付けられているものがある（例えば特許文献１参照）。
【特許文献１】実開平７−３０８６３号公報
【発明の開示】
【発明が解決しようとする課題】
【０００５】
しかし、図６に示す従来の供花台１は、祭壇に載置することができるが、供花台１を載置するためのスペースを祭壇上に確保する必要があるので、上記課題を解決することができない。
【０００６】
本発明は、上記のような課題を解決するためになされたものであり、壁に取り付けることができて、載置された生花やしきび等、並びに額縁等に記載された内容が例えば参列者に見栄えよく見えるように向きを変えることができる供花台を提供することを目的としている。
【課題を解決するための手段】
【０００７】
本発明は、花を載置できる受け台、及び額縁やパネルが装着される装着部が設けられた保持部と、壁に取り付け可能な取付部と、前記保持部がほぼ鉛直軸を中心にして揺動可能に前記保持部と前記取付部とを連結する連結部とを備えることを特徴とするものである。
【０００８】
この発明の供花台は、保持部がほぼ鉛直軸を中心にして揺動可能となるように、取付部を壁に取り付けて使用することができる。そして、この保持部に設けられている受け台に花等を載置することができるし、装着部に額縁又はパネルを装着することができる。この額縁等には、例えば花等を供えた者の氏名が記載された紙が装着されている。そして、保持部は、連結部を介して揺動させることができるので、受け台に載置された花等や装着部に装着された額縁等が、例えば参列者に見栄えよく見えるように向きを変えることができる。
【０００９】
そして、この発明の供花台において、前記取付部は、所定の揺動範囲内に位置する前記保持部を支持するための支持部を有するものとしてもよい。これによって、受け台に載置された花等や装着部に装着された額縁等の重量を、支持部及び保持部等によって支持することができる。よって、この供花台の機械的強度を向上させることができて安全である。そして、連結部に過大な重量が掛からないようにできるので、連結部の剛性を小さくすることができ、よって、安価で見栄えの良い供花台を提供できる。
【００１０】
また、この発明の供花台において、前記装着部は、前記額縁や前記パネルの上縁部及び下縁部が嵌め込まれる上部溝及び下部溝を有するものとしてもよい。このように構成した供花台によると、額縁等を装着部に装着するときは、額縁等の上縁部及び下縁部を、それぞれと対応する装着部の上部溝及び下部溝に差し込んで嵌め込めばよい。そして、額縁等の上縁部及び下縁部を上部溝及び下部溝から抜き取ることによって、額縁等を装着部から取り外すことができる。このように、額縁を装着部に対して簡単に着脱できて便利である。
【００１１】
更に、この発明の供花台において、前記取付部は、前記壁と向かい合って配置される取付板と、当該取付板から前記壁側に向かって延びて更に下方に屈曲して延びる引っ掛け部とを有するものとしてもよい。このようにすると、例えば壁に上向きの突起が設けられている場合は、この突起に引っ掛け部を係合させることによって供花台を壁に取り付けることができる。このように、供花台の壁に対する取付け及び取外しを簡単にできて便利である。
【発明の効果】
【００１２】
この発明の供花台によると、例えば葬儀等の会場内の壁に取り付けて、生花やしきび等を載置して飾ることができるので、スタンドに載せた生花等を例えば会場内の床に立てて飾ることが禁止されている場合でも、会場内等を見栄えよく飾ることができる。もちろん、スタンドに載せた生花等を飾ることができる会場にも、この発明の供花台を使用して花等を飾ることができる。そして、祭壇以外のスペースを利用しているので、祭壇上の飾りと共に更に会場の見栄えを良くすることができる。また、保持部を揺動させることによって、受け台に載置された花等や装着部に装着された額縁等が、例えば参列者に見栄えよく見えるように向きを変えることができる。従って、供花台に載置された花等による装飾の効果を十分に発揮させることができるし、参列者は、花等を供えた者を、額縁等に表示された氏名、名称等によって簡単に知ることができて便利である。
【発明を実施するための最良の形態】
【００１３】
以下、本発明に係る供花台の実施形態を図１等を参照して説明する。この供花台６は、図１に示すように、葬儀、告別式等の際に供える例えば生花７、造花、しきび、又は榊等を載置することができ、更に額縁１２を装着することができるものであり、例えば図５に示す会場８の壁９に取り付けて使用することができる。この供花台６は、これを壁９に取り付けるための取付部１０と、この取付部１０と揺動自在に連結する保持部１１とを備えている。図１は、生花７が載置されて、額縁１２が装着された供花台６を壁９に取り付けた状態を示す斜視図である。図４は、生花７が載置されておらず、額縁１２が装着されていない供花台６が壁９に取り付けられている状態を示す斜視図である。
【００１４】
保持部１１は、図４に示すように、縦長の矩形の枠体であり、受け台１３及び装着部１４が設けられている。受け台１３は、生花７等が載置されるものであり、矩形の板状体である。この受け台１３は、保持部１１の下側枠体１５の上面にねじ止めされており、保持部１１の左側枠体１６及び右側枠体１７が鉛直方向と平行に配置された状態で、ほぼ水平となるように取り付けられている。
【００１５】
装着部１４は、矩形の板状の例えば額縁（図１参照）１２を装着することができるものである。そして、図４に示すように、保持部１１の左側枠体１６、右側枠体１７、この左側枠体１６と右側枠体１７とを連結する中桟１９、及び上側枠体１８によって形成される矩形の区画の部分が装着部１４として形成されている。更に、この装着部１４は、額縁１２の上縁部１２ａ及び下縁部１２ｂが嵌め込まれる上部溝２０及び下部溝２１が形成されている。
【００１６】
上部溝２０は、図４に示すように、保持部１１の上側枠体１８の正面と、この上側枠体１８の上面にねじ止めされている断面形状がＬ字状の上Ｌ型部材２２の内面とによって形成された断面矩形の溝である。下部溝２１は、同図に示すように、中桟１９の正面と、この中桟１９の下面にねじ止めされている断面形状がＬ字状の下Ｌ型部材２３の内面とによって形成された断面矩形の溝である。
【００１７】
この上部溝２０と下部溝２１との間隔は、図１に示すように、額縁１２の上縁部１２ａと下縁部１２ｂとの間隔よりも少し広い寸法である。そして、保持部１１の左側枠体１６と右側枠体１７との間隔は、額縁１２の左縁部と右縁部との間隔とほぼ同一である。
【００１８】
取付部１０は、図４に示すように、この供花台６を壁９に取り付けるためのものであり、矩形の取付板２４を備えている。この取付板２４は、連結部２５を介して保持部１１と揺動自在に連結している。各連結部２５は、蝶番から成っており、取付板２４の正面の左側縁部と保持部１１の左側枠体１７とを互いに連結している。この連結部２５は、従来公知のものであり、２つの板状体を１本の連結軸で揺動自在に連結するものである。そして、その一方の板状体が保持部１１に結合し、他方の板状体が取付板２４に結合している。
【００１９】
また、図４に示すように、取付板２４の正面には支持部２６が設けられている。支持部２６は、例えば０°〜９０°未満の揺動範囲内に位置する保持部１１を支持するためのものであり、矩形の板状体である。この支持部２６は、取付板２４及び補強部材２７の双方に固着されており、この補強部材２７は取付板２４にねじ止めされている。支持部２６は、その上面が受け台１３の下面に取り付けられている棒状部材及び板状部材から成る荷重伝達部材２８、２９、並びに下側枠体１５の各下面と隙間を隔てて平行している。これによって、保持部１１に額縁１２や生花７等が載置されておらず、保持部１１にそれらの重量が掛かっていない場合は、保持部１１を支持部２６に対して摩擦抵抗の無い状態で揺動させることができる。そして、保持部１１に額縁１２や生花７等が載置されており、保持部１１にそれらの重量が掛かっている場合は、保持部１１が変形して受け台１３の下面に取り付けられている荷重伝達部材２８、２９及び下側枠体１５が支持部２６の上面と当接した状態となり、額縁１２や生花７等の重量が掛かる保持部１１をこの支持部２６によって支持することができる。なお、荷重伝達部材２８、２９及び下側枠体１５のそれぞれの下面は、同一水平面内に配置されるように形成されており、荷重伝達部材２８、２９は、受け台１３の下面にねじ止めされている。
【００２０】
また、支持部２６は、図１に示すように、取付板２４の横幅と同一の長さに水平に形成されているので、保持部１１が取付板２４に対して０°〜９０°未満の揺動角度の範囲内に位置している状態で、その揺動角度で保持部１１に掛かる重量を支持することができる。
【００２１】
更に、図２に示すように、取付板２４の背面には引っ掛け部３０が水平に配置されてねじ止めされている。この引っ掛け部３０は、取付板２４の横幅よりも短い長さであり、基端部３０ａを有している。基端部３０ａは、これに形成された３つの各挿通孔にねじ３０ｂが挿通しており、このねじ３０ｂによって取付板２４に取り付けられている。そして、この基端部３０ａには、取付板２４の背面２４ａを壁９側に向けて配置した状態で、この基端部３０ａから壁９側に向かって延びて、更に下方に向かって直角に屈曲して延びる屈曲部３０ｃが形成されている。
【００２２】
なお、保持部１１の矩形の枠体は、例えばアルミ製であり、受け台１３、支持部２６、及び取付板２４は例えば木製である。
【００２３】
上記のように構成された供花台６は、図１に示すように、例えば会場８内の壁９に水平に取り付けられているハンガー部材３１に引っ掛けて取り付けることができる。このハンガー部材３１は、図３の側面図（供花台６を折り畳んで壁９に取り付けた状態を示す側面図。）に示すように、断面形状がほぼＣ字状の長尺部材である。そして、このハンガー部材３１の下側縁部３１ａは、その中央部３１ｂと間隔を隔てて形成され、上方に向かって延びている。供花台６をこのハンガー部材３１に取り付けるときは、供花台６に設けられている引っ掛け部３０をこのハンガー部材３１の下側縁部３１ａに引っ掛けて係合させればよい。そして、供花台６をハンガー部材３１から取り外すときは、引っ掛け部３０（屈曲部３０ｃ）をハンガー部材３１の下側縁部３１ａから外せばよい。このように、供花台６の壁９に対する取付け及び取外しを道具なしで簡単にできるので便利である。
【００２４】
このハンガー部材３１の上方位置には、角柱状の壁側係止部材３２が壁９に取り付けられている。そして、取付板２４の背面２４ｃには、その下縁に沿って角柱状の取付板側係止部材３３が取り付けられている。これら壁側係止部材３２及び取付板側係止部材３３は、ハンガー部材３１に係合された取付板２４の上縁又は下縁が壁９側に接近することによって取付板２４が傾斜しないように係止して、この取付板２４をほぼ鉛直方向と平行するように固定するためのものである。
【００２５】
このハンガー部材３１に取り付けられた供花台６は、図１に示すように、その受け台１３に例えば生花７、造花、しきびまたは榊等を載置して飾ることができる。なお、生花７等を花器に挿した状態で受け台１３上に載置することができる。
【００２６】
そして、装着部１４に額縁１２を装着することができる。この額縁１２には、例えば生花７等を供えた者の名称（又は氏名）３４が記載された紙３５が装着されている。この紙３５には、名称３４の他に、花の模様３６が表示されている。もちろん、この紙３５は、例えばお悔やみのメッセージが記載されたものとすることができる。
【００２７】
また、装着部１４には、額縁１２を装着した例を示したが、図には示さないが、額縁１２に代えて、パネルを装着するようにしてもよい。このパネルには、額縁１２に装着されている紙３５に記載されたものと同様の名称３４等を記載することができるし、同様の模様３６等を表示することができる。
【００２８】
また、この供花台６は、取付部１０を壁９に取り付けた状態で、保持部１１がほぼ鉛直軸を中心にして矢印３７の方向に揺動可能であるので、図５に示すように、受け台１３に載置された生花７等や装着部１４に装着された額縁１２が、例えば参列者３８に見栄えよく見えるように向きを変えることができる。従って、供花台６に載置された生花７等による装飾の効果を十分に発揮させることができるし、参列者３８は、生花７等を供えた者を、額縁１２に記載された名称３４等によって簡単に知ることができて便利である。
【００２９】
このように、この供花台６によると、例えば葬儀等の会場８内の壁９に取り付けて、生花７やしきび等を載置して飾ることができるので、スタンドに載せた生花等を例えば会場８内の床に立てて飾ることが禁止されている場合でも、会場８内等を見栄えよく飾ることができる。もちろん、スタンドに載せた生花等を飾ることができる会場８にも、この図１に示す供花台６を使用して壁９に生花７等を飾ることができる。そして、祭壇３９以外のスペースを利用しているので、祭壇３９上の飾りと共に更に会場８の見栄えを良くすることができる。また、この供花台６は、壁９に取り付けることができるものなので、比較的高所で参列者３８の見え易い位置に取り付けることができる。
【００３０】
更に、図１に示すように、保持部１１が取付板２４に対して０°〜９０°未満の揺動角度の範囲内で位置決めされている状態で、その揺動角度で保持部１１に掛かる重量を支持部２６によって支持することができる。これによって、供花台６の機械的強度を向上させることができる。従って、受け台１３に載置された生花７等や装着部１４に装着された額縁１２の重量を、支持部２６及び保持部１１等によって確実に支持することができて安全である。そして、連結部２５に過大な重量が掛からないようにできるので、連結部２５の剛性を小さくすることができて、安価で見栄えの良い供花台６を提供することができる。
【００３１】
また、装着部１４は、図１に示すように、額縁１２の上縁部１２ａ及び下縁部１２ｂが嵌め込まれる上部溝２０及び下部溝２１を有する構成としてあるので、額縁１２を装着部１４に装着するときは、額縁１２の上縁部１２ａ及び下縁部１２ｂを、それぞれと対応する上部溝２０及び下部溝２１に差し込んで嵌め込めばよい。そして、額縁１２の上縁部１２ａ及び下縁部１２ｂを上部溝２０及び下部溝２１から抜き取ることによって額縁１２を取り外すことができる。このように、額縁１２を装着部１４に対して簡単に着脱できて便利である。
【００３２】
ただし、上記実施形態では、図１に示すように、保持部１１と取付板２４とを２つの連結部（蝶番）２５で連結する構成としたが、これ以外の連結構造、例えば柔軟なプラスチック板を介して両者を揺動自在に連結してもよい。要は、この供花台６を壁９や柱に取り付けた状態で、保持部１１がほぼ鉛直軸を中心にして揺動可能に保持部１１と取付部１０とを連結するようにすればよい。
【００３３】
そして、上記実施形態では、図１に示すように、保持部１１を０°〜９０°未満の揺動位置で支持するための支持部２６を取付板２４に設けたが、この支持部２６を省略してもよい、なお、支持部２６を省略する場合は、生花７や額縁１２等の重量を確実に支持できるように、保持部１１及び連結部２５の剛性を確保する必要がある。
【００３４】
また、上記実施形態では、図１に示すように、額縁１２の上縁部１２ａ及び下縁部１２ｂを装着部１４の上部溝２０及び下部溝２１に嵌め込むことによって、額縁１２を装着部１４に装着する構成としたが、これ以外の構成の装着部としてもよい。例えば保持部１１に左側溝、右側溝、及び下部溝２１を形成し、これら各溝に額縁１２の左縁部、右縁部、及び下縁部１２ｂを上方から差し込んで嵌め込むことによって、額縁１２を装着できる構成の装着部としてもよい。この装着部によると、額縁１２の下縁部１２ｂを左側溝と右側溝との間に上方から差し込むことによって額縁１２を装着部に簡単に装着することができる。そして、装着部に装着された額縁１２を、上方に引き上げることによって装着部から簡単に取り外すことができる。
【００３５】
更に、上記実施形態では、図３に示すように、供花台６に設けられている引っ掛け部３０を、壁９に取り付けられているハンガー部材３１の下側縁部３１ａに引っ掛けて係合させることによって、供花台６を壁９に取り付けるようにしたが、これに代えて、例えば床に設置されるスタンドを使用できる場合は、そのスタンドに供花台６を着脱自在に取り付けるようにしてもよい。この場合は、例えばスタンドに上部溝及び下部溝を形成し、これら各溝に取付板２４の上縁部及び下縁部を側方から差し込んで嵌め込むことによって、取付板２４を着脱自在に装着できる構成としてもよい。このように、スタンドに供花台６を取り付けることによって、新しい感覚の装飾を提供すことができる。
【００３６】
そして、上記実施形態の支持部２６は、保持部１１を０°〜９０°未満の揺動位置で支持できるようにしたが、例えば０°〜１８０°未満の揺動位置にある保持部１１を支持できるようにすることができる。例えば図１に示す支持部２６の左端部を取付板２４の左側縁から更に左方向に突出するように形成すればよい。これによって、０°〜１８０°未満の揺動位置にある保持部１１の下方に支持部２６が配置されることとなり、保持部１１を支持部２６によって支持できる。このように形成された供花台６は、壁９の外角部等に取り付ける場合に利用できて便利である。
【産業上の利用可能性】
【００３７】
以上のように、本発明に係る供花台は、壁に取り付けることができて、載置された生花やしきび等、並びに額縁等に記載された内容が例えば参列者に見栄えよく見えるように向きを変えることができる優れた効果を有し、このような供花台等に適用するのに適している。
【図面の簡単な説明】
【００３８】
【図１】この発明の実施形態に係る供花台を壁に取り付けた状態を示す斜視図である。
【図２】同実施形態に係る供花台を背面から見た状態を示す斜視図である。
【図３】同実施形態に係る供花台を折り畳んで壁に取り付けた状態を示す側面図である。
【図４】同実施形態の供花台であり、生花及び額縁を取り外した状態を示す斜視図である。
【図５】同実施形態の供花台を会場の壁に取り付けた状態を示す平面図である。
【図６】従来の供花台を示す斜視図であるである。
【符号の説明】
【００３９】
６  供花台
７  生花
９  壁
１０  取付部
１１  保持部
１２  額縁
１３  受け台
１４  装着部
２０  上部溝
２１  下部溝
２４  取付板
２５  連結部
２６  支持部
２７  補強部材
２８、２９  荷重伝達部材
３０  引っ掛け部
３１  ハンガー部材
３２  壁側係止部材
３３  取付板側係止部材
３４  名称
３５  紙
３６  模様
３８  参列者
３９  祭壇
【図１】
2005218470.tif 000003
【図２】
2005218470.tif 000004
【図３】
2005218470.tif 000005
【図４】
2005218470.tif 000006
【図５】
2005218470.tif 000007
【図６】
2005218470.tif 000008